(57)【特許請求の範囲】
【請求項１】
ペットボトルやビンなど大型容器に入っている液体を他の容器に移しかえる為の注入補助具において、所定の間隔に連結されたほぼ円形の平板２枚と、その連結されたほぼ円形の平板２枚間に該平板の中心近傍で傾けることができるように取り付けられた前記大型容器の固定手段と、前記大型容器または前記大型容器の固定手段を、前記円形の平板２枚とともに傾斜させた際に前記大型容器の口から液体が最初に流れだす角度である約７２度で傾斜を止める本体ストッパーと、前記大型容器または前記大型容器の固定手段と前記本体ストッパーとの間の角度を一操作あたり３〜５度の範囲の角度ずつ設定することができる角度設定具とを具備することを特徴とする注入補助具。
【請求項２】
請求項１の角度設定具が、円形平板の３〜５度の範囲の角度の中心線群と、円形平板の外周の交点を頂点とする複数のほぼ鋸歯状の溝を設けて、容器の固定手段に取りつけられたはめ込み具を差し込むことにより前記大型容器を傾斜することができる請求項１の注入補助具。
【発明の詳細な説明】
【技術分野】
【０００１】
本発明は、１．５リットル以上の大型のペットボトルやビンなどの容器に入った液体を、他の
容器に一定量ずつ移しかえるときに使う注入補助具に関するものである。
【背景技術】
【０００２】
従来一般に液体を移し変えるためには、容器の底などに手を当てて容器を手で持ち上げて、傾斜させることにより、他の容器に注入する方法がとられていた。容器を手で持ち上げやすくするために、下記特許文献１及び２のような容器本体に取手を付ける方法が出願されている。また、ほぼ一定量を注入するためには、計量カップを備えた特許文献３などの出願がある。  
【０００３】
【特許文献１】実用新案３０３５０８６
【特許文献２】実用新案３０８９８８５
【特許文献３】特開２００−０４３９２０
【発明の開示】
【発明が解決しようとする課題】
【０００４】
従来から行われている容器を持ち上げて傾斜させる方法は容器が大きくなると簡単ではないし、たとえ容器に取手が付いていたとしても約２Ｋｇの容器を持ち上げることは容易ではなく、まして、老齢者や子供などにとっては非常に困難なことであり、この改善が望まれていた。
【０００５】
特許文献１、特許文献２の注入補助具は、いずれも注ぐときにペットボトルを持ち上げなければならず、液体が一気に流れるおそれもあって、腕への負担は大きい。
特許文献３の定量取り出し容器においては、計量カップを使用して液体を移しかえるもので、直接他の容器に移しかえるものではない。本発明はそれらの問題を解決し、重いペットボトルやビンなどを持ち上げなくても、必要なほぼ一定量の液体を他の容器へ注ぐことができる注入補助具を開発することを課題とした。
【課題を解決するための手段】
【０００６】  上記課題を解決するために請求項１の本発明の注入補助具は、所定の間隔に連結されたほぼ円形の平板２枚と、その連結されたほぼ円形の平板２枚間に該平板の中心近傍で傾けることができるように取り付けられた前記大型容器の固定手段と、前記大型容器または前記大型容器の固定手段を、前記円形の平板２枚とともに傾斜させた際に前記大型容器の口から液体が最初に流れだす角度である約７２度で傾斜を止める本体ストッパーと、前記大型容器または前記大型容器の固定手段と前記本体ストッパーとの間の角度を一操作あたり３〜５度の範囲の角度ずつ設定することができる角度設定具とを具備することを特徴とする。
また請求項２の本発明の注入補助具は、請求項１の角度設定具が、円形平版の３〜５度の範囲の角度の中心線群と、円形平版の外周の交点を項点とする複数のほぼ鋸歯状の溝を設けて、容器の固定手段に取りつけられたはめ込み具を差し込むことにより、前記大型容器を傾斜することができる請求項１の注入補助具である。
【発明の効果】
【０００７】
本発明の注入補助具は、軽量簡単な構造で使いやすい。また、注入補助具本体ならびに容器は、持ち上げなくてもテーブルなどに置いて使用することが出来るので、容器の大きさや重さにかかわることなく子供や老人など誰でもが無理なく大型容器からコップ一杯分を注入することができる。さらに注入補助具の大きさや、一定角度に傾けるための角度設定具の数値を変えることで、一升瓶や石油タンクなど、はばひろく応用できる。
【発明を実施するための最良の形態】
【０００８】
実施例に先立ち、本発明の注入補助具のサイズや傾斜させる角度について検討した。市販の大きめのペットボトルは、１．５リットル用と２リットル用があるが、ここでは２リットル用の、高さが約３１０ミリで、縦横約９０ミリと約１００ミリからなる一般的な角形ペットボトルの注入補助具を検討した。また、液体は飲料水だけでなく色々なものがあるが、ここでは便宜上一般の水としペットボトルなどは容器として説明する。
【０００９】
発明に先立ち容器を傾斜させてコップなどに注入する時の、容器の傾斜角度と注入される量との関係について、実験をしながら考察した。実験の結果、立てた容器を約７２度傾斜させると水は流れ出し始めることが分かった。一方家庭で使われるコップの容量はおよそ２００ｃｃなので、この２００ｃｃの水をコップに簡単に注ぐための方法を考察した。市販の２リットル用のベットボトルでは、７２度からおよそ４度〜５度傾けるとおよそ２００ｃｃの水がコップに注入された。傾ける角度を同じように約４度〜５度ずつ増やしていくと、その都度同じようにおよそ２００ｃｃの水がコップに注入された。このことにより容器の形状が多少異なっていても、コップ一杯分の水を注入するために容器を約４度〜５度ずつ傾けると毎回約２００ｃｃの水がコップに注入されることが分かった。
【００１０】
また、コップに注ぎやすくするためには、容器の口をコップの高さよりも約３０ミリ以上上方に保つと取り扱いやすいので、円形平板の半径は約１３５ミリにすることが適当であり、容器の大きさや形状の変化も考慮すると、平板の半径は約１３０〜１５５ミリの範囲にすることが妥当であることが分かった。
【実施例１】
【００１１】
以下、本発明の実施の形態について実施の一例をもとに、図面を参照しつつ詳細に説明する。図１及び図２は本発明の注入補助具の実施例の説明図である。平板１及び平板２の材料は約１．２ミリ厚の硬質のＰＰシートを用いた。平板１及び平板２は直径を約２７０ミリのほぼ円形にした。また、容器を傾斜する角度を設定するための角度設定具は公知技術であるラチェット機構を利用して、一操作毎に予め設定した角度に傾斜させる機構や傾斜角度を累積設定する機構などにより実現する事も可能であるが、実施例では請求項２に記載した方法を説明する。図１に示すように、平板１の天頂付近には、中心角約４度の中心線群と、平板１の外周との各交点を頂点とするほぼ鋸歯状の溝５を１１個形成した。容器支持板７に取りつけられたはめ込み具４を、溝５に抜き差しする際に、容器支持板７を上げ下げしても容器が元の固定位置に復帰できるように、容器支持板７には、図２に示す支持具１３とバネ１２を取り付けた。また、容器を約７２度傾斜させた位置で止められるように、平板１の外周に本体ストッパー３を設けた。
【００１２】
まず本発明の注入補助具に２．０リットル用の容器を取り付け固定して、本発明の注入補助具全体を最初に水が流れ出す傾斜角度である７２度まで傾斜させたあと、約４〜５度ずつ傾斜させて注入するとおよそ２００ｃｃの水がコップに注ぎ込まれるが、精度を上げた実験の結果では同じ角度を１０回繰り返してコップに注入された量を測定すると、初めの２回はやや少なくその後６回はほぼ同量が注入されるが、最後の２回はやや少なくなることが分かった。このため注入のし始めと最後の２回は傾斜角度をやや大きめに設定し、中間の６回は同角度とすることにより全１０回の注入量をほぼ同量にできることが分かった。そのため、鋸歯状の溝５の２番目の溝と３番目の溝と、１０番目と１１番目の溝の角度をそれぞれ４度よりもやや大きくし、その他は約４度としたところ一杯目から同じようにおよそ２００ｃｃが移された。このことにより、本発明の注入補助具は、角度設定具で容器の形状を考慮した角度を設定できる構造にすることにより、毎回ほぼ同量の水を移すことが可能になることがわかった。これにより、場所もそれほどとらないので、テーブルの上などに常時置いて使用することも可能である。
【００１３】
次に本発明の注入補助具の使い方を順序立てて説明する。容器１０を、上部容器止め８並びに下部容器止め９を用いて容器支持板７に固定する。容器１０を上部に押し上げて、容器支持板７のはめ込み具４を一番手前の鋸歯状角度設定具５に嵌め込み、容器１０を垂直に立てる。この状態で本体ストッパー３まで止まるまで傾斜させても水は殆ど出てこないので、はめ込み具４を鋸歯状の溝5の二番目の溝にはめ込んでから、容器１０のふたをとりコップに容器１０の口に接近させて、平板１平板２を時計回りにゆっくりと本体ストッパー３で止まるまで容器１０を傾け、１杯目の水を注ぐ。注ぐときや戻すときは本体をしっかり押さえておく。２杯目以降は、順次鋸歯状の溝５にはめ込み具４を入れて傾斜を深くし、同様の動作をくり返す。
【００１４】
本発明の注入補助具は、その構造、大きさ及び各部の寸法は実施例にこだわるものではない。試作では平板１と平板２とを補強するため四本のビス６を用いたが、本体材質の特性に応じた方法をとることが出来る。また、本体の材料も、プラスチック製、木材、金属板なども使うことができる。
【００１５】
さらに試作では、平板１の天頂付近に設けた鋸歯状の溝５に、容器支持板７の上端に取り付けたはめ込み具４を嵌め込んで順次傾斜させたが、平板１及び平板２の材質が、強度と弾力性とを兼ね備えているものであれば、より簡単に角度を変えることが可能である。また、平板の中心部にラチェット機構を取り付けて、一操作あたり３〜５度ずつ傾斜させるための角度を設定することも可能であるが、正確に同量ずつ注入するためには予め注入回数に応じた傾斜角度を設定できる機構を採用することが望ましい。
【図面の簡単な説明】
【００１６】
【図１】本発明の注入補助具の実施の一例の説明図
【図２】本発明の注入補助具の右側面の説明図
【符号の説明】
【００１７】
１    平板
２    平板
３    本体ストッパー
４    はめこみ具
５    鋸歯状の溝
６    ビス
７    容器支持板
８    上部容器止め
９    下部容器止め
１０  容器
１１  バネ止め
１２  バネ
１３  支持具
【図１】
0004782746.tif 000002
【図２】
0004782746.tif 000003